(57)【特許請求の範囲】
【請求項１】
シリンダ１の上端部外周に装着筒２を設け、かつ、そのシリンダ１の上端に保持リング３を設け、該保持リング内に垂直方向のステム４を昇降可動に挿通させ、該ステムの上端部に押下げノズルヘッド５を嵌合連結させ、該押下げノズルヘッドをその下降限で上記保持リング３に螺合支持させる構造を有するものであって、上記押下げノズルヘッド５を昇降させることで上記ステム４を通じてポンプ作動を得る液体噴出ポンプにおいて、
上記シリンダ１としては、上端から径を一段大きくした起立筒12を立設し、該起立筒12には、外周面に係合突条13を周設するとともに、一部に深い切欠開口部14を設け、また、当該シリンダ１の上端部内面には、その切欠開口部14の中央に対応させて通気用上流側縦溝15を形成し、該通気用上流側縦溝の下でシリンダ１の上部適所に通気用小孔16を穿設し、上記保持リング３としては、テーパ状の頂壁20の中央部に内筒21を設けて、該内筒の外周をシリンダ１の上端部内周に回動自在に嵌合させるとともに、頂壁20の中間部から内周面が係合面の係合筒22を垂設して、該係合筒の内周を上記起立筒12の外周とその係合突条13へ回動自在に嵌着係合させ、かつ、頂壁20の周縁部から短い外周壁23を垂設して、該外周壁の内側の環状空間24に上記装着筒２の適所から起立させた湯水返し筒19を通気可能に遊挿させ、また、その内筒21の外周上部には、上記切欠開口部14に対応させて回動範囲規制用縦突条28を突設して、該回動範囲規制用縦突条をその切欠開口部14内に可動に遊挿させるとともに、該回動範囲規制用縦突条を内筒21の時計方向、反時計方向の回動に伴いその切欠開口部14の一方又は他方の開口側縁へ突き当てることで内筒21したがって保持リング３の回動範囲の規制を得るようにし、その内筒21の外周下部には、押下げノズルヘッド５の螺脱方向の螺動に伴い上記回動範囲規制用縦突条28がその切欠開口部14の他方の開口側縁に突き当たったところで上記通気用上流側縦溝15と位置的に合致して開通する通気用下流側縦溝29を設け、該通気用下流側縦溝を上記シリンダ１内上部へそして上記通気用小孔16へと連通させて、容器体内へと外気を導入する開閉可能な外気導入路30を形成し、
更に、上記内筒21の内周の適所に内向きスカート27を設けて、該内向きスカートに上記ステム４を水密摺動自在に嵌挿させた
ことを特徴とする防水型液体噴出ポンプ。
【請求項２】
上記シリンダ１の上部に穿設した上記通気用小孔16を、より上に位置させて上記内筒21の通気用下流側縦溝29に近づけ、その上記保持リング３の内筒21の下端に外向きスカート31を設けて、該外向きスカートの上方に通気用小孔16を包んだ請求項１記載の防水型液体噴出ポンプ。
【発明の詳細な説明】
【０００１】
【発明の属する技術分野】
本発明は、シャワールーム、浴室等で使用する防水型液体噴出ポンプに関するものでとある。
【０００２】
【従来の技術】
一般に、シャワールームや浴室などで使用される液体のシャンプー、リンス等の多くは、液体噴出ポンプを備えた容器に収容されている。
この場合の液体噴出ポンプは、一般に、押下げノズルヘッドを有する縦型往復ポンプであり、シリンダの上部に設けられた装着筒で容器体の口頸部に取り付けられて、その押下げノズルヘッドの押下げ操作と内蔵スプリングによる復帰上昇とによりポンプ作用を生じて、容器体内の液体をその押下げノズルヘッドから外部へと送出する。
押下げノズルヘッドは、シリンダの上端に取り付けられた保持リング内を通ってシリンダから上方へと突出するステムに取り付けられ、該ステムは、押下げノズルヘッドからの機械運動の伝達と液体の供給に供されるが、通常、該ステムと保持リングとの間にわずかに隙間が形成され、この隙間を通じて容器体のヘッドスペースへと外気を導入するよう配慮されている。したがって、容器体内では液体が減少しても負圧化するようなことはない。
その一方、押下げノズルヘッドと保持リングとの間には、下降限の押下げノズルヘッドを螺合支持させる螺合手段が講じられ、この螺合によりその隙間を閉塞するとともに、ポンプの妄動を阻止して、商品流通段階等での液漏れ防止、損傷防止、丈の低減等を得ている。
【０００３】
【発明が解決しようとする課題】
しかし、シャワールーム、浴室等での使用の段では、通常、押下げノズルヘッドが保持リングから螺脱されており、ステムと保持リングとの間の外気導入用の隙間が開いているため、この隙間からポンプ内及び容器体内に湯水が侵入して内部のシャンプー、リンス等の液体が希釈化される等の問題点がある。
本発明は、湯水の侵入を的確に防止して、かかる従来の問題点を解決しようとするものである。
【０００４】
【課題を解決するための手段】
上記目的達成のため、第１の手段としてシリンダ１の上端部外周に装着筒２を設け、かつ、そのシリンダ１の上端に保持リング３を設け、該保持リング内に垂直方向のステム４を昇降可動に挿通させ、該ステムの上端部に押下げノズルヘッド５を嵌合連結させ、該押下げノズルヘッドをその下降限で上記保持リング３に螺合支持させる構造を有するものであって、上記押下げノズルヘッド５を昇降させることで上記ステム４を通じてポンプ作動を得る液体噴出ポンプにおいて、
上記シリンダ１としては、上端から径を一段大きくした起立筒12を立設し、該起立筒12には、外周面に係合突条13を周設するとともに、一部に深い切欠開口部14を設け、また、当該シリンダ１の上端部内面には、その切欠開口部14の中央に対応させて通気用上流側縦溝15を形成し、該通気用上流側縦溝の下でシリンダ１の上部適所に通気用小孔16を穿設し、上記保持リング３としては、テーパ状の頂壁20の中央部に内筒21を設けて、該内筒の外周をシリンダ１の上端部内周に回動自在に嵌合させるとともに、頂壁20の中間部から内周面が係合面の係合筒22を垂設して、該係合筒の内周を上記起立筒12の外周とその係合突条13へ回動自在に嵌着係合させ、かつ、頂壁20の周縁部から短い外周壁23を垂設して、該外周壁の内側の環状空間24に上記装着筒２の適所から起立させた湯水返し筒19を通気可能に遊挿させ、また、その内筒21の外周上部には、上記切欠開口部14に対応させて回動範囲規制用縦突条28を突設して、該回動範囲規制用縦突条をその切欠開口部14内に可動に遊挿させるとともに、該回動範囲規制用縦突条を内筒21の時計方向、反時計方向の回動に伴いその切欠開口部14の一方又は他方の開口側縁へ突き当てることで内筒21したがって保持リング３の回動範囲の規制を得るようにし、その内筒21の外周下部には、押下げノズルヘッド５の螺脱方向の螺動に伴い上記回動範囲規制用縦突条28がその切欠開口部14の他方の開口側縁に突き当たったところで上記通気用上流側縦溝15と位置的に合致して開通する通気用下流側縦溝29を設け、該通気用下流側縦溝を上記シリンダ１内上部へそして上記通気用小孔16へと連通させて、容器体内へと外気を導入する開閉可能な外気導入路30を形成し、
更に、上記内筒21の内周の適所に内向きスカート27を設けて、該内向きスカートに上記ステム４を水密摺動自在に嵌挿させた。
【０００５】
第２の手段として、上記第１の手段を有すると共に、上記シリンダ１の上部に穿設した上記通気用小孔16を、より上に位置させて上記内筒21の通気用下流側縦溝29に近づけ、その上記保持リング３の内筒21の下端に外向きスカート31を設けて、該外向きスカートの上方に通気用小孔16を包んだ。
【０００８】
【発明の実施の形態】
その1.
図１乃至図４は、請求項１の発明に係る防水型液体噴出ポンプの実施の形態を示している。
図において、１は、円筒状のシリンダ、２は、該シリンダの上端部にこれを囲成させて装備させた内ねじ螺筒の装着筒、３は、シリンダの上端に嵌合させた傘状の保持リング、４は、該保持リング内に昇降可動に通して上方へと突出させたステム、５は、該ステムの上端部に嵌合連結させた押下げノズルヘッド、６は、ステムの下端に設けた環状ピストン、７は、ステムの内部に設けた吐出弁、８は、シリンダ内の下端部に設けた吸込み弁、９は、シリンダに内装して環状ピストン、ステム、押下げノズルヘッド等を上方へ付勢したスプリング、10は、シリンダの下端から垂設した吸上げパイプであり、これらは全体として縦型往復ポンプを形成している。
【０００９】
シリンダ１は、上端部外周に外向きフランジ11を設け、上端から径を一段大きくした起立筒12を立設し、該起立筒12には、外周面に係合突条13を周設するとともに、一部に深い切欠開口部14を設けている。また、シリンダ１の上端部内面には、その切欠開口部14の中央に対応させて通気用上流側縦溝15を形成し、該通気用上流側縦溝の下でシリンダ１の上部適所に通気用小孔16を穿設しており、該通気用小孔は、上昇限に位置した上記環状ピストン６で閉じるようにしている。なお、17は、外向きフランジ11の下面に付設したパッキングである。
【００１０】
装着筒２は、容器体の口頸部へ螺着するためのものであるが、上端部に内向きフランジ18を設けて、該内向きフランジの下面を上記外向きフランジ11の上面に当接させており、該内向きフランジ18の上面の中途部から湯水返し筒19を立設している。
【００１１】
保持リング３は、シリンダ１の上端を覆い、ステム４等を抜け止めし、かつ、押下げノズルヘッド５を下降限で螺合支持させるためのものであるが、テーパ状の頂壁20の中央部に内筒21を設けて、該内筒の外周をシリンダ１の上端部内周に回動自在に嵌合させるとともに、頂壁20の中間部から内周面が係合面の係合筒22を垂設して、該係合筒の内周を上記起立筒12の外周とその係合突条13へ回動自在に嵌着係合させ、かつ、頂壁20の周縁部から短い外周壁23を垂設して、該外周壁の内側の環状空間24に上記湯水返し筒19を遊挿させている。
その内筒21の内周上部には、螺条25を設けて、該螺条に押下げノズルヘッド５の下端に設けた螺筒26を螺合させるようにし、その内筒21の内周中間部には、内向きスカート27を設けてステム４を水密摺動自在に嵌挿させている。
また、その内筒21の外周上部には、上記切欠開口部14に対応させて回動範囲規制用縦突条28を突設して、該回動範囲規制用縦突条をその切欠開口部14内に可動に遊挿させるとともに、該回動範囲規制用縦突条を内筒21の時計方向、反時計方向の回動に伴いその切欠開口部14の一方又は他方の開口側縁へ突き当てることで、内筒21したがって保持リング３の回動範囲の規制を得るようにし、その内筒21の外周下部には、押下げノズルヘッド５の螺脱方向の螺動に伴い上記回動範囲規制用縦突条28がその切欠開口部14の他方の開口側縁に突き当たったところで、上記通気用縦溝15と位置的に合致して開通する通気用下流側縦溝29を設け、該通気用下流側縦溝を上記シリンダ１内上部へそして上記通気用小孔16へと連通させて、容器体内へと外気を導入する開閉可能な外気導入路30を形成している。
【００１２】
如上の構成であり、使用に当たっては、液体を収容した容器体の口頸部に装着筒２により螺着し、シリンダ１から垂下する吸上げパイプ10を容器体内の底部にまで伸出させる。
この状態のものを商品として市場に流通させるときは、図１に示すように、押下げノズルヘッド５を下降させて、その下降限で螺筒26を保持リング３の内筒21の螺条25へ螺合させる。
この螺合の際には、保持リング３が従動して一方へ回動し、図３に示すように、内筒21の回動範囲規制用縦突条28がシリンダ１の起立筒12の切欠開口部14内を一方の開口側縁に突き当たるまで移動し、内筒21の通気用下流側縦溝29が起立筒12の通気用上流側縦溝15の位置から離れて不通となり、外気導入路30が閉状態となる。また、ステム４と保持リング３との間は内向きスカート27で水密に閉塞されているから、搬送、転倒等にも容器体内の液体が容器体外へ漏れ出るようなことはない。
【００１３】
次に、需要者においては、押下げノズルヘッド５の螺筒26を保持リング３の内筒21の螺条25から螺脱させる。
この螺脱の際には、保持リング３が従動して他方へ回動し、図４に示すように、内筒21の回動範囲規制用縦突条28がシリンダ１の起立筒12の切欠開口部14内を他方の開口側縁に突き当たるまで移動し、内筒21の通気用下流側縦溝29が起立筒12の通気用上流側縦溝15の位置にきて開通となり、外気導入路30が開状態となる。これと同時に、スプリング９の弾力で環状ピストン６、ステム４及び押下げノズルヘッド５が上昇し、図２に示す押下げ操作態勢となる。なお、これらが上昇限に達すると、環状ピストン６が外気導入路30の通気用小孔16を閉じて転倒等による容器体内からの液漏れを防止するが、この通気用小孔16の閉孔は押下げノズルヘッド５の押下げ操作により環状ピストン６が下降するとただちに開口して外気導入路30が開状態となり、外気を容器体内に導入して容器体内の負圧化を防止する。
【００１４】
その押下げ操作態勢では、内筒21の通気用下流側縦溝29が起立筒12の通気用上流側縦溝15と開通したままとなっており、一般家庭では、通常、この押下げ操作態勢のままでシャワールームや浴室等に置かれることとなるが、この状態で上方乃至側方から湯水がかかっても、これを第１に傘状の保持リング３が、第２に湯水返し筒19が防いで、外気導入路30に侵入するのを阻止する。また、ステム４と保持リング３との間は内向きスカート27で水密に閉塞されているから、該部から湯水が侵入することもない。
【００１５】
容器体内の液体を取り出すときは、従来通り、押下げノズルヘッド５を押し下げてはスプリング９で復帰上昇させればよく、これにより全体としてポンプ動作を生じて、押下げノズルヘッド５のノズルからその押し下げの度に液体が噴出する。
なお、保持リング３は、直に指で回動させることもでき、これにより外気導入路30を任意に開閉させることができる。
【００１６】
その2.
図５は、請求項２の発明に係る防水型液体噴出ポンプの実施の形態を示している。
この場合は、上述のその1.において、上記シリンダ１の上部に穿設した上記通気用小孔16を上方に位置させて上記内筒21の通気用下流側縦溝29に近づけ、その内筒21の下端に外向きスカート31を設けて、該外向きスカートで通気用小孔16を包んでいる。
この場合、上記外気導入路30がシリンダ１内で区分され、防水は完全なものとなる。
【００１７】
【発明の効果】
請求項１の発明によれば、既述構成であるから、シャワールームや浴室等に置いても、外気導入路30を通じて容器体内へ侵入しようとする湯水を傘状の保持リング３と装着筒２から起立する湯水返し筒19とで二重に阻止でき、勿論、保持リング３とステム４の間の水密閉塞により外部から侵入しようとする湯水を阻止できて、容器体内の液体の希釈等の不都合を的確に防止できる。
また、外気導入路30を機械的に閉じることができて、搬送時の液漏れ等を的確に防止できる。
【００１８】
加えて、押下げノズルヘッド５の保持リング３への螺着、螺脱に伴いその保持リングを従動回動させて、外気導入路30を機械的自動的に開閉させることができ、したがって、外気導入路30を開閉するための特別な操作が不要である。更に既述構成であるから、少ない部材で簡潔に容易に製作でき、安価に提供できる。
【００２０】
請求項２の発明によれば、既述構成であるから、外気導入路30をシリンダ１内で区分でき、防水をより的確なものとすることができる。
【図面の簡単な説明】
【図１】本発明に係る実施の形態その1.を示す押下げノズルヘッド下降限の截断側面図である。
【図２】  同実施の形態における押下げノズルヘッド上昇限の截断側面図である。
【図３】  同実施の形態における図１Ａ−Ａ線の要部断面である。
【図４】  同実施の形態における図２Ｂ−Ｂ線の要部断面である。
【図５】請求項２の発明に係る実施の形態その2.を示す押下げノズルヘッド下降限における要部の截断側面図である。
【符号の説明】
１…シリンダ                    ２…装着筒
３…保持リング                  ４…ステム
５…押下げノズルヘッド          ６…環状ピストン
７…吐出弁                      ８…吸込み弁
９…スプリング                  10…吸上げパイプ
11…外向きフランジ              12…起立筒
13…係合突条                    14…切欠開口部
15…通気用上流側縦溝            16…通気用小孔
17…パッキング                  18…内向きフランジ
19…湯水返し筒                  20…頂壁
21…内筒                        22…係合筒
23…外周壁                      24…環状空間
25…螺条                        26…螺筒
27…内向きスカート              28…回動範囲規制用縦突条
29…通気用下流側縦溝            30…外気導入路
31…外向きスカート
【図１】
0003683668.tif 000002
【図２】
0003683668.tif 000003
【図３】
0003683668.tif 000004
【図４】
0003683668.tif 000005
【図５】
0003683668.tif 000006